(57)【要約】そのキャビネット１０が、側壁１１と、下方かつ水平に傾斜可能な扉１３によって閉じられる前面開口部１２とを備え、前記側壁１１は、少なくとも１つの棚３０がその上にスライド式に着座されるレール１４、１５を備えるオーブン用の棚装置。棚３０は、引込んだ運転位置と、運転位置に対して平行で、持ち上がり、かつ外側に変位した投入位置との間を、手動で変位可能である。【特許請求の範囲】
【請求項１】
下部扉（１３）によって閉じられる前面開口部（１２）を画定する互いに平行な側壁（１１）が設けられたキャビネット（１０）を含んでおり、下部扉（１３）が、前面開口部（１２）に接して着座される閉位置と、オーブンから前方に突き出た開位置との間で水平に傾斜可能であり、前記側壁（１１）が、少なくとも１つの棚（３０）がその上にスライド式に着座されるレール（１４、１５）を担持するタイプのオーブン用の棚装置であって、
棚（３０）が、当該棚がオーブン内部に引込まれた運転位置と、当該棚が運転位置に対して持ち上げられ外側に変位した平行な投入位置との間を手動で変位可能であるように、各レール（１４、１５）に据え付けられることを特徴とする棚装置。
【請求項２】
棚（３０）が、第１の棚に平行な少なくとももう１つの棚（３０）を含むフレーム（３１）に固定されることを特徴とする請求項１に記載の棚装置。
【請求項３】
棚（３０）がオーブンの扉（１３）に着脱可能に結合され、扉（１３）の閉位置と開位置との間の角度変位が、棚（３０）の運転位置と投入位置との間の変位を生み出すことを特徴とする請求項１に記載の棚装置。
【請求項４】
棚（３０）が、互いに平行な１対の駆動ロッド（２５）によって扉（１３）に結合され、各駆動ロッド（２５）が、棚（３０）の側部の１つに着脱可能に連節された内側端（２５ａ）と、扉（１３）の対応する側部に着脱可能に連節された外側端（２５ｂ）とを有することを特徴とする請求項２に記載の棚装置。
【請求項５】
オーブンの扉（１３）が最大開放位置に持ってこられたときに、駆動ロッド（２５）の外側端（２５ｂ）が内側端（２５ａ）よりも低い位置に達することを特徴とする請求項４に記載の棚装置。
【請求項６】
棚（３０）が、運転位置と前面開口部（１２）に隣接した中間位置との間を水平な経路で、また、中間位置と投入位置との間をオーブンに対して上方かつ外側に傾斜した経路で、手動で変位可能であることを特徴とする請求項１から５のいずれかに記載の棚装置。
【請求項７】
オーブンの各側壁（１１）上に水平に設けられたレール（１４）を含んでおり、各レール（１４）が、１対の懸架ロッド（２１）の上端がそれに連節されたスライド（２０）を支持しており、１対の懸架ロッド（２１）の下端が棚（３０）の対応する側部に連節されており、各レール（１４）内のスライド（２０）の変位が、棚（３０）の運転位置および中間位置を画定し、棚（３０）の投入位置が、懸架ロッド（２１）の前方かつ上方への角度変位によって達成されることを特徴とする請求項６に記載の棚装置。
【請求項８】
各対の懸架ロッド（２１）が、平行四辺形の形態の関節状構造を画定することを特徴とする請求項７に記載の棚装置。
【請求項９】
各スライド（２０）が、少なくとも２つのローラ（２２）を用いて各レール（１４）上に着座されることを特徴とする請求項７に記載の棚装置。
【請求項１０】
オーブンの各側壁（１１）上に設けられた、棚（３０）の対応する側部にある互いに離隔された各部分がその上に着座される１対のレール（１５）を含んでおり、各レール（１５）が、棚（３０）が運転位置でその上に着座される第１水平伸張部（１５ａ）と、第１伸張部に連結され、前面開口部（１２）に向かって上方に傾斜した第２伸張部（１５ｂ）とを含み、該第２伸張部に沿って、棚（３０）が運転位置と投入位置との間を変位することを特徴とする請求項１から５のいずれかに記載の棚装置。
【請求項１１】
棚（３０）が、ローラ（３３）を用いて２対のレール（１５）上に着座されることを特徴とする請求項１０に記載の棚装置。
【請求項１２】
各レール（１５）が、棚（３０）の各ローラを受けて保持し、棚（３０）を投入位置で安定させるように、陥凹部（１５ｃ）で終わる第２伸張部（１５ｂ）を有していることを特徴とする請求項９に記載の棚装置。
【請求項１３】
各レール（１５）が、第１伸張部（１５ａ）に連続して第２伸張部の下方に配置された水平な第３伸張部（１６）を含み、第３伸張部（１６）は、棚（３０）を運転位置に対して同一平面内で外側に進められた投入位置へと導くために任意で使用されることを特徴とする請求項１２に記載の棚装置。
【発明の詳細な説明】
【技術分野】
【０００１】
本発明は、オーブン、通常は家庭用レンジ（ｄｏｍｅｓｔｉｃ  ｓｔｏｖｅ）のレンジ台上面の下方で当該レンジに組み込まれたオーブンの内部に設けられた、１つまたは複数のスライド棚についての構造的構成に言及する。
【背景技術】
【０００２】
今日使用される家庭用レンジ、特に、直接床の上に置かれる、または作業台に嵌め込まれるキャビネットが設けられたガスレンジには、食品を焼くオーブンが設けられており、当該オーブンがレンジ台上面の下方に非人間工学的方式で位置決めされるので、ユーザは、オーブンに関して食品を出し入れする作業の間、望ましくない労力を要する。
【０００３】
オーブンを使用するときにユーザに必要とされる労力およびユーザの不快感を軽減することを目的として、オーブンの棚の１つまたはすべてが、前記棚がオーブン内部に引込まれた運転位置と、前記棚の一部がオーブンの前面開口部から外側に突き出た投入位置との間で自動的に水平に変位し、棚のこの水平変位がオーブンの扉のその開位置と閉位置との間の変位によって得られる構造的構成が、提案されてきた。これらの先行技術の解決策は、ユーザがオーブンの扉を開くと、自動的に棚を前方に変位させて、その支持表面のより大きな拡張部をユーザに露出させ、オーブンに関する食品の出し入れ作業を促進できるようにする。
【０００４】
しかし、知られているこれらの構造では、棚は、水平方向にしか変位せず、床に対する棚の高さの変化がない。オーブンが常にレンジ台上面の下方に配置されるので、床に対するオーブンの棚の作業高さが低く、したがって、棚が前方に変位したときでも、ユーザは、前記棚の支持表面に接近するために自身の体を不快に下方へと曲げなければならない。さらに、知られているこれらの構造的解決策は、人間工学的に不十分である。
【発明の開示】
【発明が解決しようとする課題】
【０００５】
知られている先行技術の構成の欠陥の理由から、本発明の目的は、オーブンの内側で焼かれる物を出し入れする作業および目で見えるようにする作業を促進して、ユーザが当該物をオーブンへと持ち込み、当該製品の調理を続け、調理プロセスの終わりに当該物をオーブンから取り出すのに必要な姿勢の、より高い人間工学的レベルをもたらす、調理オーブン用の棚装置を提供することである。
【０００６】
本発明の他の目的は、オーブンの扉をその開位置と閉位置との間で動かすことによって、棚を、オーブンの内側の引込まれた位置と、棚の一部がオーブンに対して外側にある投入位置との間で変位させる、前述のような棚の構成を提供することである。
【課題を解決するための手段】
【０００７】
本発明は、下部扉によって閉じられる前面開口部を画定する互いに平行な側壁がそのキャビネットに設けられており、前記下部扉が、前面開口部に接して着座される閉位置と、オーブンから前方に突き出た開位置との間で水平方向に傾斜可能な、オーブンに適用される。側壁上には、少なくとも１つの棚を支持するためのレールが設けられている。
【０００８】
本発明によれば、棚が、当該棚がオーブン内部に引込まれた運転位置と、当該棚が運転位置に対して持ち上がり外側に変位した平行な投入位置との間を水平な経路で手動で変位するように、各レールに据え付けられる。
【０００９】
棚を、多数の棚を含むフレームに固定することができ、またさらに、オーブンの扉を変位させることによって、その異なる運転位置の間で動かすこともできる。
【００１０】
以下で、本発明について添付図面に即して説明する。
【発明を実施するための最良の形態】
【００１１】
本発明の棚装置は、そのキャビネット１０が、扉１３によって閉じられる前面開口部１２を画定する互いに平行な側壁１１（１つだけが示されている）を含んでおり、扉１３が、前面開口部１２に接して着座される閉位置（図１および図４）と、図３および図６に示される、オーブンから前方に突き出た開位置との間で下方かつ水平に傾斜可能な、オーブンに適用可能である。
【００１２】
図１〜図３に示した第１の実施形態では、キャビネット１０の各側壁１１に、水平に配置されたレール１４が設けられており、このレール１４内には、１対の懸架ロッド２１の上端に連節する（ａｒｔｉｃｕｌａｔｅ）スライド２０が据え付けられており、これら１対の懸架ロッド２１の下端は、棚３０の対応する側部、または１つのフレーム３１だけに固定された多段の棚の組立体３０に連節される。
【００１３】
この第１の実施形態では、各レール１４内でのスライド２０の変位が、懸架ロッド２１によって懸架された棚３０（または複数の棚の組立体３０）を、運転位置（図１に示す）と、前面開口部１２に隣接した中間位置（図２に示す）との間で変位させる。この、運転位置と中間位置との間の棚３０の変位は、水平、またはほぼ水平である。
【００１４】
中間位置からは、２つのスライド２０は、レール１４の前方限界に達しているので、もはや前方に変位することができない。この状態で、扉１３が十分に開いて棚３０が前方に引かれると、懸架ロッド２１が、それらの上端の周りで前方かつ上方に振れて、棚３０が中間位置に対して平行で、持ち上がり、かつ外側に変位した投入位置（図３に示す）へと、棚３０を変位させる。棚３０の水平性は、１つまたは複数の棚３０を支持するための、平行四辺形の形態の関節状構造を画定する、各対の懸架ロッド２１の平行性によって維持される。
【００１５】
棚３０の変位を滑らかにするために、各スライド２０は、各レール１４上に着座するための２つ以上のローラ２２を備えることができる。
【００１６】
図示したように、棚３０をオーブンの扉１３に着脱可能に結合させることができるので、前記扉１３の角度変位が、棚３０の対応する変位を生み出す。
【００１７】
棚３０と扉１３との間の結合は、通常、互いに平行な１対の駆動ロッド２５によって得られ、これら各駆動ロッドが、棚３０の対応する側部に着脱可能に連節された内側端２５ａと、扉１３の対応する側部に着脱可能に連節された外側端２５ｂとを有する。
【００１８】
この構造によって、扉１３が閉位置にあるときには、駆動ロッド２５が棚３０を運転位置（図１）へと変位させる。扉１３が開方向に向かっていくらか動くと、棚３０が、駆動ロッド２５によって前方に引かれて、運転位置から図２に示した中間位置へと変位する。変位を継続させて扉１３を開くことによって、駆動ロッド２５の外側端２５ｂが内側端２５ａよりも高い位置にある状態で、棚３０が、駆動ロッド２５によってさらに外側かつ上方に引かれる。
【００１９】
駆動ロッド２５の寸法は、オーブンの扉１３の最大開放位置で、駆動ロッド２５の内側端２５ａが水平に変位した位置よりも、外側端２５ｂがわずかに低い位置に達して、棚３０を投入位置で安定させるように、設定される。
【００２０】
図４〜図６に示した第２の実施形態では、棚３０を、やはり、１つまたは複数の追加の棚３０を担持する単一フレーム３１に据え付けることができ、前記棚３０または前記フレーム３１が、第１の実施形態に関して既に説明したのと同様に、１対の駆動ロッド２５によって扉１３に着脱可能に結合される。
【００２１】
第２の実施形態では、各側壁１１は、互いに長手方向に離隔された、棚３０の同じ側部にある各部分を支持するための１対のレール１５を備え、各レール１５は、棚３０が運転位置と中間位置との間をそれに沿って変位する第１水平伸張部１５ａと、第１伸張部１５ａに連結され、前面開口部１２に向かって上方に傾斜した第２伸張部１５ｂとを含む。第２伸張部１５ｂに沿って、棚３０は中間位置と投入位置との間で変位される。棚３０の変位を促進するために、棚３０には、その両側に１対のローラ３３を設けることができ、各ローラ３３が各レール１５上に着座される。
【００２２】
持ち上がった投入位置での棚３０の安定化を促進するために、各レールの第２伸張部１５ｂは、棚３０の各ローラ３３を受けて保持するように、陥凹部１５ｃで終端している。
【００２３】
各レール１５には、第１伸張部１５ａに連続して第２伸張部の下方に配置された第３水平伸張部１６をさらに含めることができる。第３水平伸張部１６は、棚３０を中間位置に対して同一平面内で外側に進められた投入位置へと導くために、任意で使用される。
【００２４】
本発明を実施する２つの構造的方法だけを記載し、説明したが、本明細書に添付の特許請求の範囲で定義される構造的概念から逸脱することなく、他の諸実施形態を使用できることを理解すべきである。
【図面の簡単な説明】
【００２５】
【図１】オーブンの扉が閉じられ、２段の棚組立体がオーブン内部に引込まれた運転位置にある、本発明の第１の実施形態による棚装置が設けられたオーブンを示す、概略鉛直断面図である。
【図２】オーブンの扉がわずかに開き、２段の棚の組立体が中間位置にある様子を示す、図１に類似の図である。
【図３】オーブンの扉が完全に開き、２段の棚の組立体が投入位置にある様子を示す、図１および図２に類似の図である。
【図４】オーブンの扉が閉じられ、３段ぼ棚の装置がオーブン内部に引込まれた運転位置にある、本発明の第２の実施形態による棚装置が設けられたオーブンを示す、概略鉛直断面図である。
【図５】図４の本発明の第２の実施形態の中間位置を示す、図２に類似の図である。
【図６】図４の本発明の第２の実施形態の投入位置を示す、図３に類似の図である。
【図１】
2005536709.tif 000002
【図２】
2005536709.tif 000003
【図３】
2005536709.tif 000004
【図４】
2005536709.tif 000005
【図５】
2005536709.tif 000006
【図６】
2005536709.tif 000007
【手続補正書】
【提出日】平成16年9月15日(2004.9.15)
【手続補正１】
【補正対象書類名】特許請求の範囲
【補正対象項目名】全文
【補正方法】変更
【補正の内容】
【特許請求の範囲】
【請求項１】
下部扉（１３）によって閉じられる前面開口部（１２）を画定する互いに平行な側壁（１１）が設けられたキャビネット（１０）を含んでおり、下部扉（１３）が、前面開口部（１２）に接して着座される閉位置と、オーブンから前方に突き出た開位置との間で水平に傾斜可能であり、前記側壁（１１）が、少なくとも１つの棚（３０）がその上にスライド式に着座されるレール（１４、１５）を担持するタイプのオーブン用の棚装置であって、
棚（３０）が、当該棚がオーブン内部に引込まれた運転位置と、当該棚が運転位置に対して持ち上げられた外側に変位した平行な投入位置との間を手動で変位可能であるように、各レール（１４、１５）に据え付けられており、棚（３０）の対応する側部にある互いに離隔された各部分がその上に着座される１対のレール（１５）が、オーブンの各側壁（１１）上に設けられており、各レール（１５）が、棚（３０）がその運転位置でその上に着座される第１水平伸張部（１５ａ）と、第１伸張部に連結され、前面開口部（１２）に向かって上方に傾斜した第２伸張部（１５ｂ）とを含み、該第２伸張部に沿って、棚（３０）が運転位置と投入位置との間を変位することを特徴とする棚装置。
【請求項２】
棚（３０）が、第１の棚に平行な少なくとももう１つの棚（３０）を含むフレーム（３１）に固定されることを特徴とする請求項１に記載の棚装置。
【請求項３】
棚（３０）がオーブンの扉（１３）に着脱可能に結合され、扉（１３）の閉位置と開位置との間の角度変位が、棚（３０）の運転位置と投入位置との間の変位を生み出すことを特徴とする請求項１に記載の棚装置。
【請求項４】
棚（３０）が、互いに平行な１対の駆動ロッド（２５）によって扉（１３）に結合され、各駆動ロッド（２５）が、棚（３０）の側部の１つに着脱可能に連節された内側端（２５ａ）と、扉（１３）の対応する側部に着脱可能に連節された外側端（２５ｂ）とを有することを特徴とする請求項２に記載の棚装置。
【請求項５】
オーブンの扉（１３）が最大開放位置に持ってこられたときに、駆動ロッド（２５）の外側端（２５ｂ）が内側端（２５ａ）よりも低い位置に達することを特徴とする請求項４に記載の棚装置。
【請求項６】
棚（３０）が、運転位置と前面開口部（１２）に隣接した中間位置との間を水平な経路で、また、中間位置と投入位置との間をオーブンに対して上方かつ外側に傾斜した経路で、手動で変位可能であることを特徴とする請求項１から５のいずれかに記載の棚装置。
【請求項７】
棚（３０）が、ローラ（３３）を用いて２対のレール（１５）上に着座されることを特徴とする請求項１に記載の棚装置。
【請求項８】
各レール（１５）が、棚（３０）の各ローラを受けて保持し、棚（３０）を投入位置で安定させるように、陥凹部（１５ｃ）で終わる第２伸張部（１５ｂ）を有していることを特徴とする請求項１に記載の棚装置。
【請求項９】
各レール（１５）が、第１伸張部（１５ａ）に連続して第２伸張部の下方に配置された水平な第３伸張部（１６）を含み、第３伸張部（１６）は、棚（３０）を運転位置に対して同一平面内で外側に進められた投入位置へと導くために任意で使用されることを特徴とする請求項８に記載の棚装置。
【国際調査報告】
2005536709.tif 000008
2005536709.tif 000009
2005536709.tif 000010